(57)【要約】【課題】広い作業スペースが不要で、作業性のよいフィルタ着脱構造を実現する。【解決手段】フィルタ９の係止片１１をフィルタガイド６の係止孔８に斜め方向から差し込んだ後、フィルタ９のプッシュラッチ１０を指で押して筐体のメインフレーム１の設けたプッシュラッチ４に嵌合させてロックすることでフィルタ９を取り付けることができ、フィルタ９を取り外す場合は、フィルタ９のプッシュラッチ１０を指で押し込んでプッシュラッチ４とのロックを解除することで取り外すことができるようにし、これにより筐体の側面等に沿って手を差し込めるスペースがあればフィルタ９の着脱を行うことができるようにした。【選択図】        図１
2006128276.tif 000002
【特許請求の範囲】
【請求項１】
前面に開閉可能な扉を有し、内部に電子回路を実装した電子機器の筐体の上面及び両側面の内の少なくとも一面に通気孔を設け、その通気孔にフィルタを取り外し可能に取り付ける電子機器のフィルタ着脱構造において、
互いに嵌合させて一定量押し込むとロックされ、ロック状態から更に押し込むとロックが解除される雌雄一対のプッシュラッチの一方を前記通気孔の内側に位置するように前記筐体内に取り付け、
表面から窪むようにフランジ部を内周に形成すると共に、係止孔を設けた枠状のフィルタガイドを前記通気孔を囲うように前記筐体に固定し、
前記フィルタの一端側に前記プッシュラッチの他方を設けると共に、他端に前記係止孔と対応する係止片を形成して、
この係止片を前記フィルタガイドの係止孔に差し込む共に、フィルタのプッシュラッチを前記筐体内のプッシュラッチにロックさせることを特徴とする電子機器のフィルタ着脱構造。
【請求項２】
請求項１に記載の電子機器のフィルタ着脱構造において、
低反発力を有する防塵クッションを前記フィルタガイドのフランジ部と前記フィルタの間に挟みこむことを特徴とする電子機器のフィルタ着脱構造。
【請求項３】
請求項１または請求項２に記載の電子機器のフィルタ着脱構造において、
前記フィルタに前記筐体内側に突出する接触部を設け、
前記扉の開閉に連動して前後動するフィルタストッパを設けて、
前記フィルタストッパは、前記プッシュラッチがロックした状態で、前記扉を閉じたとき前記接触部に重なるように接触して、前記フィルタに設けられた前記プッシュラッチがロック状態から更に押し込まれるのを防止すると共に、前記扉を開いたときは前記接触部から外れるようにしたことを特徴とする電子機器のフィルタ着脱構造。
【発明の詳細な説明】
【技術分野】
【０００１】
本発明は、電子機器の通気孔に設けられるフィルタの着脱構造に関するものである。
【背景技術】
【０００２】
情報端末等の電子機器においては、機器内部に設けられる電子回路の放熱のために、機器の筐体に通気孔があけられるが、この通気孔からの塵埃の侵入を防ぐため、通気孔にフィルタが着脱自在に取り付けられる。
従来のフィルタの着脱構造の代表的なものとして、電子機器の筐体にフィルタをネジで固定し、清掃等のための保守時にはネジを外すことでフィルタを筐体から取り外す構造（例えば、特許文献１参照）、あるいは電子機器の筐体内にフィルタをスライドさせて着脱させる構造（例えば、特許文献２参照）が知られている。
【特許文献１】実開平５−２０３８８号公報（段落「０００９」〜段落「００１２」、図１）
【特許文献２】実開平６−４５３９５号公報（段落「００１２」、段落「００１６」、図１、図２）
【発明の開示】
【発明が解決しようとする課題】
【０００３】
しかしながら、上述した従来の技術においては、それぞれ以下の問題を有している。
すなわち、フィルタをネジで固定する構造の場合は、清掃や交換等のためにフィルタを着脱するとき、ネジを締めたり緩めたりするためのドライバを使えるように作業スペースを確保する必要や、フィルタ近傍に他の機器や壁などが存在する場合は機器を手前に引き出してネジを締めたり緩めたりする必要があり、そのため着脱のための広い作業スペースが必要になったり、作業性が悪くなる等の問題がある。
【０００４】
また、スライドによる構造の場合は、フィルタを引き出す際に、フィルタ挿入用の開口穴のエッジでフィルタ表面についた埃が削り取られ、機器内部に埃が落ちてしまうという問題がある。
本発明は、このような問題を解決することを課題とする。
【課題を解決するための手段】
【０００５】
そのため、本発明は、前面に開閉可能な扉を有し、内部に電子回路を実装した電子機器の筐体の上面及び両側面の内の少なくとも一面に通気孔を設け、その通気孔にフィルタを取り外し可能に取り付ける電子機器のフィルタ着脱構造において、互いに嵌合させて一定量押し込込むとロックされ、ロック状態から更に押し込むとロックが解除される雌雄一対のプッシュラッチの一方を前記通気孔の内側に位置するように前記筐体内に取り付け、表面から窪むようにフランジ部を内周に形成すると共に、係止孔を設けた枠状のフィルタガイドを前記通気孔を囲うように前記筐体に固定し、前記フィルタの一端側に前記プッシュラッチの他方を設けると共に、他端に前記係止孔と対応する係止片を形成して、この係止片を前記フィルタガイドの係止孔に差し込む共に、フィルタのプッシュラッチを前記筐体内のプッシュラッチにロックさせることを特徴とする。
【発明の効果】
【０００６】
このようにした本発明は、フィルタの係止片をフィルタガイドの係止孔に斜め方向から差し込んだ後、フィルタのプッシュラッチを指で押して筐体内のプッシュラッチに嵌合させてロックすることでフィルタを取り付けることができ、フィルタを取り外す場合は、フィルタのプッシュラッチを指で押し込んでプッシュラッチのロックを解除することで取り外すことができるため、筐体の側面等に沿って手を差し込めるスペースがあれば、フィルタの着脱を行うことが可能となり、広い作業スペースが不要になり、作業性も向上するという効果が得られる。
【０００７】
また、フィルタを取り外す際、フィルタ挿入用の開口穴のエッジでフィルタ表面についた埃が削り取られることもないので、電子機器内部への塵埃の脱落を無くすことができるという効果も得られる。
【発明を実施するための最良の形態】
【０００８】
以下、図面を参照して本発明による電子機器のフィルタ着脱構造の実施例を説明する。
【実施例】
【０００９】
図１は第１の実施例を示す分解斜視図、図２は第１の実施例を示す横断平面図、図３は電子機器の外観を示す斜視図である。
図において１はメインフレーム，２はアッパーカバー、３はフロントカバーであり、これらにより電子機器の筐体が構成されている。
ここでメインフレーム１は主として筐体の底面と前面（正面）及び後面（背面）を成し、前部側には上面及び両側面が形成されていて、その前部側の側面にプッシュラッチ４が取り付けられる。このメインフレーム１内に図示しない電子回路等が実装されており、この電子回路等の保守はメインフレーム１の前面に設けられた図示しない孔から保守用器具等を差し込んで行えるようになっている。
【００１０】
アッパーカバー２は筐体の上面及び両側面を成し、その側面前部側に図１に示すように通気孔５が設けられている。メインフレーム１はこのアッパーカバー２の内側に収納され、ネジ等で固定されているが、この固定時にプッシュラッチ４が通気孔５内に位置するように取り付けられる。
フロントカバー３はメインフレーム１の前面を覆うもので、筐体の扉である。このフロントカバー３の下端側はメインフレーム１の前端部に回転可能に取り付けられており、回転動作により開閉可能となっている。
【００１１】
６は枠状に形成されたフィルタガイドで、通気孔５を囲うようにアッパーカバー２に取り付けられている。
このフィルタガイド６の内周には、その全周に亘ってフランジ部７がフィルタガイド６表面から窪むように形成されており、このフランジ部７の奥側つまり筐体の後面側の一辺に係止孔８が設けられている。
【００１２】
９はフィルタで、フィルタガイド６のフランジ部７を除く部分の内径より若干小さめの形状とした板材と、この板材に設けられた多数のスリット９ａを一括して覆うように板材の内面側に取り付けられた網目状あるいは多孔質状のフィルタ材によって構成されており、前記板材の一端側つまり筐体後面側の所定の位置にメインフレーム１に取り付けたプッシュラッチ４と対を成すプッシュラッチ１０が取り付けられ、また板材の他端には図２に示すようにＬ字状の係止片１１が形成されている。
【００１３】
尚、プッシュラッチ４とプッシュラッチ１０はフィルタ９のロック手段で、互いに嵌合可能な雌雄の構造を持ち、雄側のプッシュラッチ１０を雌側のプッシュラッチ４に一定量押し込むことで両者は結合してロックされ、そしてこの位置をロック位置として更にプッシュラッチ１０を押し込むと、両者のロックが解除され、更に押し込み方向と逆の方向にプッシュラッチ１０を引き抜くと、プッシュラッチ４とプッシュラッチ１０が分離するものとなっている。
【００１４】
１２はフィルタ９の内面とフィルタガイド６のフランジ部７との隙間から塵埃が筐体内に侵入するのを防ぐための防塵クッションで、フランジ部７と同等の大きさの枠状に形成されており、両面テープ等でフランジ部７の表面に貼り付けられている。この防塵クッション１２の素材としては微小な力で圧縮できる反発力の低いポリウレタン等を用いるのが望ましい。
【００１５】
次に上述した構成による第１の実施例の作用について説明する。
まず、フィルタ９を取り付ける場合は、フィルタ９の一端を片手で掴んで他端に形成されている係止片１１をフィルタガイド６の係止孔８に斜め方向から差し込み、係止片１１を支点にフィルタ９を回転させるようにフィルタ９の一端をフィルタガイド６側に押し付ける。
【００１６】
これによりフィルタ９のプッシュラッチ１０がメインフレーム１側のプッシュラッチ４に嵌合するので、そのままプッシュラッチ１０を指でロック位置まで押し込むと、プッシュラッチ１０がメインフレーム１側のプッシュラッチ４と結合してロックされ、これによりフィルタ９はフィルタガイド６のフランジ部７との間に防塵クッション１２を挟んで密着するようにフィルタガイド６に固定される。
【００１７】
このときの動作において、フィルタガイド６のフランジ部７に貼り付けられている防塵クッション１２は前記のように微小な力で圧縮可能なため、フィルタ９のプッシュラッチ１０側の押し込み力は、指先で押し込める程度の小さな力で済む。
清掃や交換等のためにフィルタ９を取り外す場合は、フィルタ９のプッシュラッチ１０を指で押し込むと、係止片１１を支点にフィルタ９が回転するように動き、これによりフィルタ９のプッシュラッチ１０がロック位置から更にプッシュラッチ４側へ移動して、プッシュラッチ１０とプッシュラッチ４のロックが解除される。
【００１８】
この状態が図２に示す状態Ａである。
この場合もフィルタ９により防塵クッション１２は圧縮されるが、防塵クッション１２は微小な力で圧縮可能なため、プッシュラッチ１０の押し込み力は取り付け時と同様に小さな力で済む。
プッシュラッチ１０とプッシュラッチ４のロックが解除された後、プッシュラッチ１０から指を離すと、防塵クッション１２の反発力（復旧力）によりフィルタ９が係止片１１を支点に前記回転方向と逆の方向に回転するように動き、これによりフィルタ９の一端がフィルタガイド６から浮きがると共に、プッシュラッチ１０がプッシュラッチ４から分離する。
【００１９】
この状態が図２に示す状態Ｂであり、この状態でフィルタ９の一端を手で掴んで筐体の前面側へスライドさせるように斜めに引き出すと、フィルタ９の係止片１１がフィルタガイド６の係止孔８から抜け出るので、これによりフィルタ９を取り外すことができる。
以上説明したように、第１の実施例によれば、フィルタ９の係止片１１をフィルタガイド６の係止孔８に斜め方向から差し込んだ後、フィルタ９の一端をフィルタガイド６側に押し付けて、フィルタ９のプッシュラッチ１０をメインフレーム１側のプッシュラッチ４に嵌合させてロックすることでフィルタ９を取り付けることができ、フィルタ９を取り外す場合は、フィルタ９のプッシュラッチ１０を指で押し込んでプッシュラッチ１０とプッシュラッチ４のロックを解除すると、フィルタ９とフィルタガイド６の間に挟まれている防塵クッション１２によりフィルタ９の一端が浮き上がるので、フィルタ９を斜めに引き出すことでフィルタ９を取り外すことができる。
【００２０】
そのため、筐体の側面に沿って、手を差し込めるスペースがあれば、フィルタ９の着脱を行うことが可能となり、広い作業スペースが不要になり、作業性も向上するという効果が得られる。
また、フィルタ９を取り外す際、フィルタ挿入用の開口穴のエッジでフィルタ表面についた埃が削り取られることもないので、電子機器内部への塵埃の脱落を無くすことができるという効果も得られる。
【００２１】
更に、フィルタ９とフィルタガイド６の間に挟まれている防塵クッション１２は微小な力で圧縮するため、フィルタ９を着脱する際のプッシュラッチ１０の押し込みに大きな力を必要とせず、小さな力で簡単にロック及びロックの解除を行うことが可能になる。
図４は本発明の第２の実施例を示す要部側面図、図５は第２の実施例におけるフィルタストッパの正面図、図６はフィルタストッパの横断平面図である。
【００２２】
この第２の実施例は、第１の実施例の構成に加えて、フィルタ９が不用意に外れないようにするためのフィルタストッパ１３を、図４に示すようにメインフレーム１の前部側面に位置するプッシュラッチ４の近傍にスライド可能に設け、このフィルタストッパ１３  に接触するようにフィルタ９のプッシュラッチ１０の周囲部分に筐体内部に向かって突出する接触部９ｂを打ち出しにより形成したものである。
【００２３】
ここでフィルタストッパ１３は金属等の板材により形成されていて、図５に示すように筐体の前後方向を長手方向とした２つの平行な長孔が第１のガイド孔１４及び第２のガイド孔１５として正面に設けられおり、また図６に示すように一端にはメインフレーム１の前面と平行に延びる押圧部１６が形成され、他端にはスプリング引っ掛け部１７が押圧部１６と平行になるように形成されている。
【００２４】
一方、メインフレーム１の前部側面には、フィルタストッパ１３の第１のガイド孔１４に対応するガイドピン１８が固定されており、また第２のガイド孔１５に対応する突起１９が裏面側からの打ち出しにより形成されていて、更にスプリング引っ掛け部１７を通す図示しない長孔が筐体の前後方向を長手方向として設けられている。
フィルタストッパ１３は、第１のガイド孔１４と第２のガイド孔１５をそれぞれガイドピン１８と突起１９に嵌合させ、フィルタストッパ１３のスプリング引っ掛け部１７を前記図示しない長孔に嵌合させることで筐体の前後方向にスライドできるようにメインフレーム１の前部側面に取り付けられ、そしてスプリング引っ掛け部１７とメインフレーム１の前面との間に渡したスプリング２０によりフィルタストッパ１３は筐体の前部側つまり図６に示す矢印Ｃ方向に付勢されている。
【００２５】
尚、スプリング引っ掛け部１７には穴が設けてあり、この穴にスプリング２０の端部を引っ掛けるようになっている。メインフレーム１の前面も同様の構造でスプリング２０の端部を引っ掛けることが可能である。
フィルタストッパ１３の第２のガイド孔１５とメインフレーム１の突起１９は、フィルタストッパ１３がスライドするときのガイドとフィルタストッパ１３の回転を防止するために設けられるが、スプリング引っ掛け部１７とそれを通す図示しない長孔の精度を考慮すれば、第２のガイド孔１５と突起１９は省略することが可能である。
【００２６】
図７はガイドピン１８の構造を示す拡大図で、図示したようにガイドピン１８はフィルタストッパ１３が脱落しないように、頭部１８ａの直径がフィルタストッパ１３に設けられた第１のガイド孔１４の上下方向の幅より大きく形成して抜け止めを図り、第１のガイド孔１４と嵌合する軸部１８ｂの直径は第１のガイド孔１４の上下方向の幅より若干小さくし、かつ軸長Ｌをフィルタストッパ１３の板厚より若干大きくして、フィルタストッパ１３がスライドする際のがたつき及び摩擦を最小限に抑えられるようにしている。
【００２７】
上述した構成による第２の実施例の作用について説明する。
図８及び図９は作用を示す説明図で、図８は電子機器運用時におけるフィルタ９とフィルタストッパ１３の関係、図９はフィルタ着脱時におけるフィルタ９とフィルタストッパ１３の関係を示しており、図８及び図９の（ａ）は側面図、（ｂ）は平面図である。
第１の実施例と同様にフィルタ９はプッシュラッチ１０とプッシュラッチ４のロックによりフィルタガイド６に取り付けられているものとする。
【００２８】
電子機器の通常の運用時あるいは出荷などのための輸送時には、図４に示したようにフロントカバー３が閉じ、図示しないロック機構によりフロントカバー３は開かないようにロックされている。
この状態ではフィルタストッパ１３の押圧部１６がフロントカバー３の内面により押されて図６に示すようにメインフレーム１の前面に押し付けられており、その際フィルタストッパ１３はスプリング２０の付勢力に抗し、スプリング２０を伸張させながら図８（ａ）示した矢印Ｄ方向つまり筐体の後面方向に移動して、図８（ｂ）に示したようにフィルタストッパ１３のスプリング引っ掛け部１７側の端部がフィルタ９の接触部９ｂに重なるように接触する。
【００２９】
そのため、フィルタ９のプッシュラッチ１０を押してもフィルタ９は動かず、プッシュラッチ１０とプッシュラッチ４のロックは解除されないため、プッシュラッチ１０が誤って押されることでフィルタ９が不用意に外れることが防止される。
一方、保守時にフィルタ９の清掃や交換等を行う場合は、フロントカバー３のロックを解除し、図４に２点鎖線で示したようにフロントカバー３を手前に倒すように９０度回転させて開く。
【００３０】
このフロントカバー３の開動作により、フィルタストッパ１３の押圧部１６がフロントカバー３の押し付け力から解放されるためスプリング２０は復旧して縮み、そのときの復旧力によりフィルタストッパ１３は図９（ａ）に示した矢印Ｃ方向つまり筐体の前面方向に移動する。
この移動によりフィルタストッパ１３は図９（ｂ）に示したようにフィルタ９の接触部９ｂから外れて離れるので、プッシュラッチ１０を押してフィルタ９を２点鎖線で示したように押し込むことが可能となる。
【００３１】
そのため、この状態で第１の実施例と同様にフィルタ９のプッシュラッチ１０を押してメインフレーム１のプッシュラッチ４とのロックを解除し、フィルタ９をフィルタガイド６から取り外すことができる。
以上説明したように第２の実施例によれば、筐体のメインフレーム１にフロントカバー３の開閉に連動して筐体の前後方向にスライドするフィルタストッパ１３を設け、フィルタ９には裏面側つまり筐体内側に突出する接触部９ｂを設けて、フロントカバー３を閉じた状態ではフィルタストッパ１３が接触部９ｂに接触してフィルタ９のプッシュラッチ１０を押してもフィルタ９が動かないようにしているため、運用時や輸送時にプッシュラッチ１０が誤って押されることでフィルタ９が不用意に外れることを防止することができるという効果が得られ、フィルタ９の不用意な脱落による電子機器内部への塵埃の侵入を未然に防止することができる。
【００３２】
尚、本発明は上述した第１，第２の実施例に限られるものではない。
例えば、第１，第２の実施例では、電子機器の筐体がメインフレーム１とアッパーカバー２とフロントカバー３により構成されるものとして、メインフレーム１にプッシュラッチ４あるいはプッシュラッチ４とフィルタストッパ１３を設けた構成としているが、メインフレーム１とアッパーカバー２とを一体化した構造、つまり上面、底面、両側面及び後面を一体化し、その前面の開口部にフロントカバー３を扉として開閉可能に設けた構造の筐体にも適用可能である。この場合、筐体内に側面と間隔をあけて対向するブラケットなどを設け、このブラケットにプッシュラッチ４あるいはプッシュラッチ４とフィルタストッパ１３を設ける構成とすれば、第１，第２の実施例と同様の作用効果が得られる。
【００３３】
また、筐体の上面に通気孔５が設けられる場合や、両側面に通気孔５が設けられる場合にも適用可能であること無論である。
【図面の簡単な説明】
【００３４】
【図１】第１の実施例を示す分解斜視図
【図２】第１の実施例を示す横断平面図
【図３】電子機器の外観を示す斜視図
【図４】第２の実施例を示す要部側面図
【図５】第２の実施例におけるフィルタストッパの正面図
【図６】フィルタストッパの横断平面図
【図７】ガイドピンの構造を示す拡大図
【図８】第２の実施例の作用を示す説明図
【図９】第２の実施例の作用を示す説明図
【符号の説明】
【００３５】
１    メインフレーム
２    アッパーカバー
３    フロントカバー
４    プシュラッチ
５    通気孔
６    フィルタガイド
７    フランジ部
８    係止孔
９    フィルタ
９ａ  スリット
９ｂ  接触部
１０  プッシュラッチ
１１  係止片
１２  防塵クッション
１３  フィルタストッパ
１４  第１のガイド孔
１５  第２のガイド孔
１６  押圧部
１７  スプリング引っ掛け部
１８  ガイドピン
１９  突起
２０  スプリング
【図１】
2006128276.tif 000003
【図２】
2006128276.tif 000004
【図３】
2006128276.tif 000005
【図４】
2006128276.tif 000006
【図５】
2006128276.tif 000007
【図６】
2006128276.tif 000008
【図７】
2006128276.tif 000009
【図８】
2006128276.tif 000010
【図９】
2006128276.tif 000011